(57)【要約】      （修正有）【課題】片手で保持する携帯情報端末の落下を防止するとともに、その手の親指で快適に携帯情報端末を操作できる脱落防止ベルトを提供する。【解決手段】脱落防止ベルト３０は、着脱可能なカバー１４が背面１０ｂに装着される携帯情報端末１０に取り付けられる。脱落防止ベルト３０は、携帯情報端末１０の天面１０ｄと底面１０ｅ間の長さより長い帯状のベルト部３２と、ベルト部３２の中央に設けられ、ベルト部３２の撓みと伸びを防止するようにベルト部３２を補強する補強部３４とを有する。ベルト部３２の一方の端部３２ａは、天面１０ｄ側から携帯情報端末１０とカバー１４との間に挟まれ、他方の端部３２ｂは、底面１０ｅ側から携帯情報端末１０とカバー１４との間に挟まれて、補強部３４がカバー１４の背板１６上に露出するように脱落防止ベルト３０が携帯情報端末１０に固定される。【選択図】図３
0003188644.tif 000002
【実用新案登録請求の範囲】
【請求項１】
着脱可能なカバーが背面に装着される携帯情報端末に取り付けられる携帯情報端末用脱落防止ベルトにおいて、
携帯情報端末の天面と底面間の長さより長い帯状のベルト部と、
ベルト部の中央に設けられ、ベルト部の撓みと伸びを防止するようにベルト部を補強する補強部と、
を有し、
ベルト部の一方の端部は、前記天面側から携帯情報端末とカバーとの間に挟まれ、他方の端部は、前記底面側から携帯情報端末とカバーとの間に挟まれて、補強部がカバーの背板上に露出するように前記ベルトが携帯情報端末に固定される、
ことを特徴とする携帯情報端末用脱落防止ベルト。
【請求項２】
請求項１に記載の携帯端末情報用脱落防止ベルトにおいて、
ベルト部は、吸着性を有する素材であるとともに、前記天面と底面間の長さより２倍以上の長さを有し、
ベルト部の両端部は、携帯情報端末とカバーとの間において互いに重なるように設けられる、
ことを特徴とする携帯端末情報用脱落防止ベルト。
【請求項３】
請求項２に記載の携帯端末情報用脱落防止ベルトにおいて、
ベルト部は、軟質塩化ビニルにより形成され、
補強部は、ベルト部より硬い硬質塩化ビニルにより形成される、
ことを特徴とする携帯端末情報用脱落防止ベルト。
【考案の詳細な説明】
【技術分野】
【０００１】
本考案は、着脱可能なカバーが背面に装着される携帯情報端末に取り付けられる携帯情報端末用脱落防止ベルトに関する。
【背景技術】
【０００２】
従来から、着脱可能なカバーが背面に装着される情報携帯端末、例えば携帯電話機やスマートフォンが知られている。
【０００３】
下記特許文献１には、携帯情報端末の背面と両側面の一部とを覆うカバーが記載されている。このカバーの、携帯情報端末の側面に対応する部分には、携帯情報端末の前面の縁部に係合する係合部が設けられている。そして、カバーを携帯情報端末の背面側から被せるようにして装着することにより、係合部が携帯情報端末の前面の縁部に係合し、カバーが携帯情報端末に固定される。
【先行技術文献】
【特許文献】
【０００４】
【特許文献１】実用新案登録第３１６８０９０号
【考案の概要】
【考案が解決しようとする課題】
【０００５】
近年の携帯情報端末においては、スマートフォンのようにタッチパネルによる操作が主流になっているため、携帯情報端末の前面の殆どの領域を液晶画面等から成る表示部が占めている。このように構成される携帯情報端末においては、ユーザは、片手で携帯情報端末を把持しつつ、その手の親指で表示部をタッチして携帯情報端末を操作することができる。
【０００６】
しかしながら、女性や子供など、比較的に手が小さい人の場合、親指による操作時に、片手で十分に携帯情報端末を保持できず、携帯情報端末を落としてしまうという問題があった。近年では、表示部及び携帯情報端末本体の大型化に伴い、片手で携帯情報端末を保持しつつ、その手の親指で操作することが非常に困難になっている。このため、一方の手で携帯情報端末を保持し、他方の手の指で表示部をタッチして携帯情報端末を操作している。
【０００７】
本考案の目的は、着脱可能なカバーが背面に装着される携帯情報端末において、片手で携帯情報端末を確実に保持し携帯情報端末の落下を防止するとともに、その手の親指で表示部を快適に操作することができる携帯情報端末用脱落防止ベルトを提供することにある。
【課題を解決するための手段】
【０００８】
本考案は、着脱可能なカバーが背面に装着される携帯情報端末に取り付けられる携帯情報端末用脱落防止ベルトにおいて、携帯情報端末の天面と底面間の長さより長い帯状のベルト部と、ベルト部の中央に設けられ、ベルト部の撓みと伸びを防止するようにベルト部を補強する補強部と、を有し、ベルト部の一方の端部は、前記天面側から携帯情報端末とカバーとの間に挟まれ、他方の端部は、前記底面側から携帯情報端末とカバーとの間に挟まれて、補強部がカバーの背板上に露出するように前記ベルトが携帯情報端末に固定されることを特徴とする。
【０００９】
また、ベルト部は、吸着性を有する素材であるとともに、前記天面と底面間の長さより２倍以上の長さを有し、ベルト部の両端部は、携帯情報端末とカバーとの間において互いに重なるように設けられることができる。
【００１０】
さらに、ベルト部は、軟質塩化ビニルにより形成され、補強部は、ベルト部より硬い硬質塩化ビニルにより形成されることが好適である。
【考案の効果】
【００１１】
本発明の携帯情報端末用脱落防止ベルトによれば、片手で携帯情報端末を確実に保持し携帯情報端末の落下を防止するとともに、その手の親指で表示部を快適に操作することができる。
【図面の簡単な説明】
【００１２】
【図１】本実施形態に係る携帯情報端末用脱落防止ベルトを携帯情報端末に取り付けたときの状態を示す斜視図である。
【図２】図１の携帯情報端末を別の角度から見たときの状態を示す図である。
【図３】図１のＡ−Ａ線による分解断面図である。
【図４】ユーザが情報携帯端末を把持したときの状態を示す図である。
【図５】携帯情報端末用脱落防止ベルトの平面図である。
【図６】図５のＢ−Ｂ線による断面図である。
【考案を実施するための形態】
【００１３】
以下、本考案に係る携帯情報端末用脱落防止ベルトの実施形態について、図を用いて説明する。携帯情報端末の一例として、スマートフォンを挙げ、このスマートフォンに取り付けられる脱落防止ベルトについて説明する。なお、本発明は、上記のようなスマートフォン以外のもの、例えば携帯電話機やタブレット型端末にも適用できる。
【００１４】
まず、本実施形態に係る携帯情報端末と、この携帯情報端末に着脱可能に装着されるカバーとについて、図１，２を用いて説明する。図１は、本実施形態に係る携帯情報端末用脱落防止ベルトを携帯情報端末に取り付けたときの状態を示す斜視図であり、図２は、図１の携帯情報端末を別の角度から見たときの状態を示す図である。
【００１５】
携帯情報端末１０は、これの前面１０ａに液晶画面等から成る表示部１２を有する。携帯情報端末１０には、これの背面１０ｂ側からカバー１４が着脱可能に装着されている。
【００１６】
カバー１４は、多少の弾性変形が可能な材質からなり、例えばポリカーボネイトなどのプラスチックにより構成される。
【００１７】
カバー１４は、携帯情報端末１０の背面１０ｂに対応する背板１６と、携帯情報端末１０の各側面１０ｃにそれぞれ対応する側板１８とを有する。各側板１８は、背板１６の左右端部にそれぞれ一体に設けられる。また、本実施形態のカバー１４においては、携帯情報端末１０の天面１０ｄ及び底面１０ｅに対応する領域はそれぞれ大きく切り欠かれている。なお、本実施形態では、携帯情報端末１０の天面１０ｄ及び底面１０ｅに対応するカバー１４の領域について大きく切り欠きがなされている場合について説明したが、本考案はこの構成に限定されず、天面１０ｄに対応する上板と、底面１０ｅに対応する下板とが、それぞれカバー１４の背板１６にそれぞれ一体に設けられても良い。
【００１８】
携帯情報端末１０の側面１０ｃとは、ユーザによる携帯情報端末１０の操作時に、表示部１２の横方に位置する右側及び左側の横面であり、天面１０ｄとは、その操作時に、表示部１２の上部に位置する上側の横面であり、底面１０ｅは、その操作時に、表示部１２の下部に位置する下側の横面である。
【００１９】
各側板１８の端部には、携帯情報端末１０の前面１０ａと側面１０ｃとの縁部に係合する係合部２０がそれぞれ形成されている。これらの係合部２０は、互いに対向する方向、すなわち内側を向く方向に突出している。
【００２０】
このように構成されるカバー１４においては、携帯情報端末１０に対して着脱可能に装着することができる。具体的には、カバー１４を携帯情報端末１０の背面１０ｂ側から取り付ける。このとき、各側板１８は弾性変形してそれぞれ外側へ向かうように撓む。そして、係合部２０が携帯情報端末１０の前面１０ａを超えると、各側板１８が元の位置に戻る。そうすると、係合部２０が携帯情報端末１０の前面１０ａと側面１０ｃとの縁部に引っ掛かり、カバー１４が携帯情報端末１０に固定される。
【００２１】
次に、携帯情報端末用脱落防止ベルト（以降、単に「脱落防止ベルト」と記す）３０について、図１，２の他に、さらに図３−６を用いて説明する。図３は、図１のＡ−Ａ線による分解断面図であり、図４は、ユーザが情報携帯端末１０を把持したときの状態を示す図であり、図５は、脱落防止ベルト３０の平面図であり、図６は、図５のＢ−Ｂ線による断面図である。
【００２２】
脱落防止ベルト３０は、図５，６に示されるように、帯状のベルト部３２と、ベルト部３２の中央に設けられた補強部３４とを有する。
【００２３】
ベルト部３２は、吸着性を有する材質、例えば軟質塩化ビニルにより形成される。具体的には、ベルト部３２は、軟質塩化ビニルの薄膜成形材料、すなわちフィルムから形成される。また、ベルト部３２は、長手方向において、携帯情報端末１０の天面１０ｄと底面１０ｅ間の長さより２倍以上の長さを有する。
【００２４】
補強部３４は、ベルト部３２の撓みと伸びを防止するようにベルト部３２を補強する部材であり、ベルト部３２より硬い材質から形成される。補強部３４は、ベルト部３２が軟質塩化ビニルである場合、この軟質塩化ビニルより硬い硬質塩化ビニルで形成されることが好適である。硬質塩化ビニルは、ポリプロピレン、ポリスチレン、ポリエチレン、ポリセーム、ポリエチレンテレフタレート（ＰＥＴ）、アクリロニトリル・ブタジエン・スチレン共重合（ＡＢＳ）を含む。
【００２５】
補強部３４は、上述のように、ベルト部３２の中央に設けられる。補強部３４は、長手方向において、携帯情報端末１０の天面１０ｄと底面１０ｅ間の長さと同じ又はそれよりも短い長さを有し、幅方向において、ベルト部３２の幅と同じ長さを有する。ベルト部３２と補強部３４とは、接着剤を介して接着される。なお、本考案は、この固定方法に限定されず、別の固定方法を用いてもよい。例えば、ベルト部３２と補強部３４を重ね合わせ、これらの周囲に二軸延伸フィルム（ＢＯＰＰ）などの薄膜フィルムを巻き付けて固定することもできる。
【００２６】
このように構成される脱落防止ベルト３０は、図１に示されるように、カバー１４の外周に巻き付けるようして携帯情報端末１０に取り付けられる。具体的には、脱落防止ベルト３０は、図３に示されるように、ベルト部３２の一方の端部３２ａが、携帯情報端末１０の天面１０ｄ側から携帯情報端末１０とカバー１４との間に挟まれ、他方の端部３２ｂが、携帯情報端末１０の底面１０ｅ側から携帯情報端末１０とカバー１４との間に挟まれて、補強部３４がカバー１４の背板１６上に露出するようにして携帯情報端末１０に固定される。
【００２７】
このような構成により、図４に示されるように、ユーザの指、例えば人差し指をカバー１４と脱落防止ベルト３０との間に差し込むことで携帯情報端末１０を確実に保持することができる。すなわち、カバー１４と脱落防止ベルト３０とが、これらの間にある人差し指を挟持するので、ユーザの手から携帯情報端末１０が脱落してしまうことを防止することができる。そして、カバー１４と脱落防止ベルト３０との間にある人差し指により携帯情報端末１０が保持されるので、その人指し指と同じ手の指親を使って、携帯情報端末１０を保持する必要がなくなる。そうすると、その親指を使った、表示部１２の広範囲のタッチが可能になり、片手で携帯情報端末１０を快適に操作することができるようになる。なお、本実施形態では、カバー１４と脱落防止ベルト３０との間に人差し指が差し込まれる場合について説明したが、本考案はこの態様に限定されず、これらの間に中指、薬指、小指または複数の指を差し込むことができる。
【００２８】
ベルト部３２の両端部３２ａ，３２ｂは、携帯情報端末１０とカバー１４との間において、図３に示されるように、互いに重なるように設けられることが好適である。ベルト部３２は吸着性を有する材質であるので、両端部３２ａ，３２ｂを重ね合わせることにより、互いに密着する。そうすることにより、携帯情報端末１０とカバー１４の間からベルト部３２が抜けてしまうことを防止することができる。
【００２９】
本実施形態においては、ベルト部３２が、携帯情報端末１０の天面１０ｄと底面１０ｅ間の長さより２倍以上の長さを有する場合について説明したが、本考案はこの構成に限定されない。ベルト部３２が、少なくとも、天面１０ｄと底面１０ｅ間の長さより長く形成されていればよい。この構成では、ベルト部３２の両端部３２ａ，３２ｂを、携帯情報端末１０とカバー１４との間において重ね合わせることができないかもしれない。しかし、ベルト部３２の少なくとも一部が、携帯情報端末１０とカバー１４との間に挟まれる構成であれば、脱落防止ベルト３０を携帯情報端末１０に固定することができる。
【００３０】
また、本実施形態においては、脱落防止ベルト１０が、単にベルト部３２と補強部３４とを有する場合について説明したが、本考案はこの構成に限定されない。補強部３４は、携帯情報端末１０の背面１０ｂ側において露出した状態となる。そこで、補強部３４の表面に、装飾が施された装飾部材を設けることができる。補強部３４と装飾部材は、例えばシールや接着剤を介して固定される。このように装飾部材を設けることにより、ユーザが装飾部材による視覚的美観を楽しむことができる。
【符号の説明】
【００３１】
１０  携帯情報端末、１２  表示部、１４  カバー、１６  背板、１８  側板、２０  係合部、３０  携帯情報端末用脱落防止ベルト、３２  ベルト部、３４  補強部。
【図１】
0003188644.tif 000003
【図２】
0003188644.tif 000004
【図３】
0003188644.tif 000005
【図４】
0003188644.tif 000006
【図５】
0003188644.tif 000007
【図６】
0003188644.tif 000008